(57)【特許請求の範囲】
【請求項１】
入れ込まれた紙幣を所定の搬送路に沿って搬送するとともに、前記紙幣の種別を識別するための識別検出部分と、前記識別にもとづいて前記紙幣を前記搬送路を横断する方向に移動して収納する収納部分と、前記識別にもとづいて前記紙幣の先頭部分が前記収納部分を通過したことを検出するための通過検出部分とを設けた紙幣収納装置であって、
前記識別検出部分は、前記搬送路の箇所で前記搬送路に沿って分割されている固定側識別検出部分と開閉側識別検出部分を備え、前記開閉側識別検出部分はその上流側の位置を支点として前記固定側識別検出部分に対して開閉し、
前記収納部分は、前記搬送路の箇所で前記搬送路に沿って分割されている固定側収納部分と開閉側収納部分とを備え、前記開閉側収納部分はその上流側の位置を支点として前記固定側収納部分に対して開閉し、
前記通過検出部分は、前記搬送路の箇所で前記搬送路に沿って分割されている固定側通過検出部分と開閉側通過検出部分とを備え、前記開閉側通過検出部分はその上流側の位置を支点として前記固定側通過検出部分に対して開閉し、
前記開閉側識別検出部分、前記開閉側収納部分および前記開閉側通過検出部分は、前記搬送路に対して同一の側に位置する部分であることを特徴とする紙幣収納装置。
【請求項２】
請求項１に記載の紙幣収納装置を具備することを特徴とする紙幣搬送装置。
【請求項３】
請求項１に記載の紙幣収納装置を具備することを特徴とするパチンコ台島装置。
【発明の詳細な説明】
【０００１】
【発明の属する技術分野】
この発明は、入れ込まけた紙幣を所定の搬送路に沿って搬送するとともに、紙幣を識別して収納するようにした紙幣収納装置ならびに、その利用装置、例えば、紙幣搬送装置、パチンコ台島装置などに関するものである。
【０００２】
【従来の技術】
パチンコ遊技機、または、パチンコ遊技機のゲート部分に跳ね返し機能やスロットマシン機能を設けたパチンコ・スロット遊技機などの遊技機（この発明では、これらの遊技機を総称して、パチンコ台という）を、図９のように複数台配置して、１つのブロック状に構成したものをパチンコ台島装置５００という、このパチンコ台島装置５００は、パチンコ店の内部において、あたかも複数の「島」を配置したように見えるので、通称を「島」とも呼ばれている。
【０００３】
なお、以下の図において、同一符号で示す部分は、いずれかの図において説明する同一符号の部分と同一の機能をもつ部分である。また、図中のごく太い線の部分は、その部分の端面または断面を略して画いた部分、または、紙幣の搬送路を理解し易く示した部分である。また、この発明において、部材とは、各構成部分を構成している構成材をいうものである。
【０００４】
そして、図９のように、パチンコ台Ｂの遊技に使用する遊技球の貸付対価として入れ込まれた紙幣１００を搬送するための紙幣搬送装置３００をパチンコ台島装置５００に組み付けた構成（以下、第１従来技術という）が周知である。
【０００５】
図９において、パチンコ台島装置５００には、複数台のパチンコ台Ｂを前列側と後列側とに分けて配置するとともに、パチンコ台Ｂ間の所要箇所に、パチンコ台Ｂに使用する遊技球、つまり、パチンコ玉を貸付けるための球貸装置（装置全体は図示せず）に入れ込まれた紙幣１００を主搬送路Ｍに搬送するための副搬送路Ｓの部分を１つのブロック状に構成した副搬送部分Ｃを配置してある。なお、この発明において、上流側または下流側とは、主搬送路Ｍまたは後記の紙幣収納装置２００内の収納搬送路Ｋにおける紙幣１００の流れの上流側または下流側をいう。
【０００６】
また、前列側のパチンコ台Ｂと後列側のパチンコ台Ｂとの間の空間部分には、上記の副搬送部分Ｃからの紙幣１００を合流搬送部分２で合流して主搬送部分４で搬送する構成を連続させて配置するとともに、主搬送路Ｍの終端の終端搬送部分Ｅの送出口Ｍ１から収納搬送路Ｋに入れ込まれた紙幣１００を収納する紙幣収納装置２００を設けて構成した紙幣搬送装置３００が配置してある。
【０００７】
ここで、前列と、後列とは、構成を分かり易く説明するためのものであって、装置が配置される状態との関係を言うものではない。また、パチンコ台Ｂの列を前列側または後列側のみにした構成（以下、第２従来技術という）も周知である。
【０００８】
なお、副搬送部分Ｃにおける搬送は、副搬送部分Ｃに設けた駆動モータにより駆動されており、主搬送部分４と終端搬送部分Ｅとにおける搬送は、連動機構（図示せず）を介して、合流搬送部分２に設けた駆動モータにより駆動されている。
【０００９】
また、紙幣１００が主搬送路Ｍに搬送されているときは、その搬送位置よりも下流側にある副搬送部分Ｃの駆動モータを停止させて、紙幣１００の搬送が重なり合わないように、副搬送部分Ｃの制御部分（図示せず）と、合流搬送部分２の制御部分（図示せず）とが制御している。
【００１０】
そして、紙幣収納装置２００は、図９・図１０のように、パチンコ台島装置５００の外箱５０の外側に配置してあり、紙幣収納装置２００の外側を盗難保護用の覆箱１２０で覆ってある。
【００１１】
紙幣収納装置２００の構成として、図１０のような紙幣収納装置２００の構成（以下、第３従来技術という）の構成が周知である。図１０において、終端搬送部分の送出口Ｍ１から収納搬送路Ｋに入れ込まれた紙幣１００は、入込口１１０ａの箇所に配置した対向ローラ１１１Ａ・１１１Ｂで取り込んで、内部の搬送ベルト１１２・ローラ１１２Ａ・ローラ１１２Ｂ・１１２Ｃで搬送し、さらに、案内片１１３Ａ・１１３Ｂで案内されながら対向ローラ１１４Ａ・１１４Ｂで搬送するように構成してある。
【００１２】
なお、これらの搬送機構の駆動構成は、紙幣収納装置２００の内部に設けた駆動モータ１１２Ｚと歯車伝動機構・ベルト伝動機構などの伝動機構（図示せず）とによって駆動され、搬送ベルト１１２は搬送ベルト１１２を掛け渡したはプーリ１１２Ｄ・１１２Ｅのいずれかを駆動側として駆動されている。
【００１３】
そして、対向ローラ１１１Ａ・１１１Ｂの次順の箇所に設けた識別検出器１１５、例えば、透過光用の発光ダイオードと受光用のホトトランジスタとの組み合わせによる検出構成によって得られた検出信号にもとづいて識別検出制御部分（図示せず）が、紙幣１００の種別、例えば、１０００円紙幣と１０００円紙幣以外の紙幣などとの種別を識別して、その種別に対応する貯留箇所に貯留するように構成している。
【００１４】
上記の識別により、紙幣１００が第１の種別、例えば、１０００円紙幣として識別されたときは、搬送ベルト１１２の箇所に配置した押込機構１１６と第１の貯留機構１１７の位置に到達したときに、各搬送機構を停止して、押込機構１１６によって薄片１００を搬送方向を横断する方向（矢印Ｃ）に押し込んで貯留機構１１７に貯留する。すなわち、押込機構１１６と第１の貯留機構１１７とで第１の収納部分２１０を構成している。
【００１５】
また、紙幣１００が第２の種別、例えば、１０００円紙幣以外の紙幣として種別されたときは、紙幣１００は全ての収納搬送路Ｋを通って、第２の貯留機構１１８に貯留する。
【００１６】
押込機構１１６は、電動アクチェータ１１６Ｂ、例えば、パルスモータで駆動される交差型レバー１１６Ｃによって、押込片１１６Ａを押込機構１１６側から第１の貯留機構１１７側に突出した後に、元の位置に戻るように動作する。
【００１７】
搬送ベルト１１２とローラ１１２Ａ・１１２Ｂ・１１２Ｃとは、薄片１００の上下の部分のみ挟んで搬送しており、第１の貯留機構１１７の案内片１１７Ａも、その上下の部分に配置してあって、その上下方向の中間部分に押込機構１１６の押込片１１６Ａが配置してある。
【００１８】
紙幣１００が押込片１１６Ａの正面に位置付けられると、押込片１１６Ａによって、紙幣１００の上下方向の中間部分が押されて、紙幣１００の上下の部分が案内片１１７Ａを越えるまで押し込まれるので、この上下の部分が案内片１１７Ａに引っ掛かった状態になり、押込片１１６Ａが元の位置に戻っても、押し込まれた紙幣１００は、案内片１１７Ａの後側に残され、第１の貯留機構１１７側に貯留されることになる。
【００１９】
また、ばね１１７Ｃにより弾力的に案内片１１７Ａの方向（矢印Ｄ）に押される押板１１７Ｂによって、押し込まれた紙幣１００の背面側を押えことによって、貯留される紙幣１００を水平方向に重ねて整頓するようにしている。
【００２０】
第２の種別の紙幣１００は、案内片１１３Ａ・１１３Ｂの末端箇所１１３Ｃまで搬送されると、末端箇所１１３Ｃが紙幣１００の面を水平方向に方向変更するよう曲げられているので、紙幣１００はその面を水平方向にして落下し、下方に設けた第２の貯留機構１１８の入込枠部分（図示せず）に入り込んで、垂直方向に重ねて整頓させられる。
【００２１】
上記の各機構部分は、紙幣収納装置２００の外殻１１９の中に適宜のフレーム（図示せず）を設けて配置してあり、また、外殻１１９の入込口１１０ａ側の張出部分１１９Ａを取付ねじ１１０ｄによって装置の外箱５０の壁部５１に固定してある。
【００２２】
紙幣収納装置２００の下流側に設けた開口部分１１０ｂには、開閉蓋１１０ｃを設けて開閉可能に構成することにより、開閉蓋１１０ｃを開いて、内部の点検・保守と、貯留された紙幣１００の取出とを行えるようにしてある。
【００２３】
さらに、開閉蓋１１０ｃに対向する保護覆１２０の部分にも開閉蓋１２０ａを設けて、上記の点検・保守・取出を行えるようにするとともに、担当作業員のみが開閉操作を行えるように、各開閉蓋１１０ｃ・１２０ａに各鍵１１０ｙ・１２０ｙを設けて紙幣１００の盗難を防止している。
【００２４】
上記の図１０の紙幣収納装置２００では、第２の貯留機構１１８を下方に設けて、末端箇所１１３Ｃが紙幣１００を下方に案内するように構成してあるが、案内片１１３Ａ・１１３Ｂの途中箇所に、図１１のような上方向に案内する方向変更用の案内管１１３Ｄと対向ローラ１１３Ｅ・１１３Ｆ・１１３Ｇ・１１３Ｈとを設けて、上方に案内するとともに、案内された上方に、収納部分２１０と同様の収納部分（図示せず）を設けるように変更した構成（以下、第３従来技術という）も周知である。
【００２５】
さらに、識別検出器１１５による紙幣１００の識別数を３種別以上に変更するとともに、その識別数に対応する収納部分２１０を設ける構成にし得ることは言うまでもない。
【００２６】
また、第１の収納部分２１０と同様の収納部分を１つだけを設けておき、識別検出器１１５による紙幣１００の識別数を複数の種別にして識別検出した各種別の紙幣１００の枚数を、表示部分（図示せず）、例えば、紙幣収納装置２００の上方側に設けた表示部分に表示するだけで、全ての紙幣１００を１つの収納部分に収納するようにした構成（以下、第４従来技術という）も周知である。
【００２７】
そして、終端搬送部分Ｅを設けずに、主搬送路Ｍの終端に配置した合流搬送部分２から紙幣収納装置２００に入れ込むようした構成（以下、第５従来技術という）も周知である。
【００２８】
紙幣収納装置２００は、上記のように、紙幣搬送装置３００・パチンコ台島装置５００に組み付けて構成されるほか、紙幣１００を別の種別の紙幣または硬貨に交換するための貨幣交換装置に組み付けた構成（以下、第６従来技術という）、スロット遊技装置・射撃遊技装置などで使用する遊技用メダルと紙幣１００とを交換するメダル交換装置に組み付けた構成（以下、第７従来技術という）などが周知である。
【００２９】
【発明が解決しようとする課題】
上記の第１従来技術〜第７従来技術の構成では、折り畳み皺などによって変形しやすい紙幣１００が入れ込まれると、収納搬送路Ｋの途中で紙幣１００が行き詰まることがあり、紙幣収納装置２００の各搬送機の部分を分解して、行き詰まった紙幣１００を取り出さなければならないという不都合がある。
【００３０】
また、識別検出器１１５が汚染したり、搬送機構に不具合が生じたりした場合にも、紙幣収納装置２００の該当部分を分解して点検・清浄・交換などの保守作業を行わなければならないなどの不具合がある。
このため、こうした不都合のない薄片搬送装置またはその利用装置、例えば、パチンコ台島装置の提供が望まれているという課題がある。
【００３１】
【課題を解決するための手段】
本発明は、入れ込まれた紙幣を所定の搬送路に沿って搬送するとともに、前記紙幣の種別を識別するための識別検出部分と、前記識別にもとづいて前記紙幣を前記搬送路を横断する方向に移動して収納する収納部分と、前記識別にもとづいて前記紙幣の先頭部分が前記収納部分を通過したことを検出するための通過検出部分とを設けた紙幣収納装置であって、
前記識別検出部分は、前記搬送路の箇所で前記搬送路に沿って分割されている固定側識別検出部分と開閉側識別検出部分を備え、前記開閉側識別検出部分はその上流側の位置を支点として前記固定側識別検出部分に対して開閉し、
前記収納部分は、前記搬送路の箇所で前記搬送路に沿って分割されている固定側収納部分と開閉側収納部分とを備え、前記開閉側収納部分はその上流側の位置を支点として前記固定側収納部分に対して開閉し、
前記通過検出部分は、前記搬送路の箇所で前記搬送路に沿って分割されている固定側通過検出部分と開閉側通過検出部分とを備え、前記開閉側通過検出部分はその上流側の位置を支点として前記固定側通過検出部分に対して開閉し、
前記開閉側識別検出部分、前記開閉側収納部分および前記開閉側通過検出部分は、前記搬送路に対して同一の側に位置する部分であることを特徴とする。
【００３２】
また、本発明は、紙幣搬送装置において上記構成の紙幣収納装置を具備することを特徴とする。
【００３３】
さらに、本発明は、パチンコ台島装置において上記構成の紙幣収納装置を具備することを特徴とする。
【００３８】
【発明の実施の形態】
この発明の実施の形態として、上記の第１従来技術・第４従来技術の紙幣収納装置の構成に、この発明を適用した実施例を説明する。
【００３９】
【実施例】
〔第１実施例〕
以下、図１〜図８により第１実施例を説明する。なお、図１・図２では、内部の搬送機構部分と収納搬送路Ｋを理解し易くするために、搬送機構部分以外の箇所を鎖線で画いてあり、図３〜図５では、各部の外形構成を理解し易くするために、収納搬送路Ｋの案内片の部分を省略して画いてある。
【００４０】
また、図１〜図５では、押込機構１１６・第１の貯留機構１１７の部分を鎖線のブロック図形に省略して画いてあり、押込機構１１６・第１の貯留機構１１７の部分の具体的な構成は図６〜図８に示してある。
【００４１】
ここで、この発明では、収納搬送路Ｋを中心にして両側に識別検出器１１５を対向させて配置した部分を識別検出部分２０１といい、また、収納搬送路Ｋを中心にして両側に押込機構１１６・貯留機構１１７を対向させて配置した部分を収納部分２１０といい、さらに、収納搬送路Ｋを中心にして両側に通過検出器２２１を対向させて配置した部分を通過検出部分２２０という。
【００４２】
そして、この第１実施例の構成が上記の第１従来技術の構成と異なる箇所は次の箇所である。
第１には、識別検出部分２０１を、図１〜図３のように、収納搬送路Ｋの箇所で、収納搬送路Ｋに沿って分割し、固定側の識別検出部分２０１Ｘと、開閉側の識別検出部分２０１Ｙとに分割して構成するとともに、図３のように、開閉側の識別検出部分２０１Ｙの上流側に設けた支点部分２０１Ｐを支点として、開閉側の識別検出部分２０１Ｙを固定側の識別検出部分２０１Ｘに対して開閉可能な構造に構成した箇所である。
【００４３】
なお、識別検出部分２０１の識別検出器１１５は、紙幣１００が入れ込まれたことを検出する入込検出器１１５Ａと、紙幣１００の印刷模様の特徴などを検出するための模様検出器１１５Ｂと、紙幣１００が模様検出器１１５Ｂでの検出を終えたことを検出するための終了検出器１１５Ｃとの組み合わせによって構成してある。
【００４４】
そして、各検出器１１５Ａ・１１５Ｂ・１１５Ｃの検出信号によって識別検出制御部分１１５Ｚが、紙幣１００の種別をするとともに、各搬送機構部分と収納部分２１０とを動作させることにより、所定の収納部分に収納するように構成してある。
【００４５】
また、入込検出器１１５Ａによって紙幣１００が入れ込まれたことを検出したときは、その検出信号によって識別検出制御部分１１５Ｚが、副搬送部分Ｃの制御部分（図示せず）と、合流搬送部分２の制御部分（図示せず）とに、紙幣１００の搬送を停止させる旨の信号を与えて、識別中の紙幣１００に後続の紙幣１００が重ならないように制御している。
【００４６】
第２には、収納部分２１０を、図１〜図３収納搬送路Ｋの箇所で、収納搬送路Ｋに沿って分割し、固定側の収納部分２１０Ｘと、開閉側収納部分２１０Ｙとに分割して構成するとともに、開閉側の収納部分２１０Ｙの上流側に設けた支点部分２１０Ｐを支点として、開閉側の収納部分２１０Ｙを固定側の収納部分２１０Ｘに対して開閉可能な構造に構成した箇所である。
【００４７】
そして、固定側の収納部分２１０Ｘは、例えば、押込機構１１６と、紙幣１００の先端部分を位置決めするための位置決め機構２１５との部分になっており、また、開閉側の収納部分２１０Ｙは、例えば、第１の貯留機構１１７の部分になっている。
【００４８】
第３には、図１０の案内片１１３Ａ・１１３Ｂの入口付近の箇所に、紙幣１００の先頭部分が第１の収納部分２１０を通過したことを検出するための通過検出部分２２０を設けた箇所である。
【００４９】
第４には、通過検出部分２２０を、収納搬送路Ｋの箇所で、収納搬送路Ｋに沿って分割し、固定側の通過検出部分２２０Ｘと、開閉側の通過検出部分２２０Ｙとに分割するとともに、開閉側の通過検出部分２２０の上流側に設けた支点部分２２０Ｐを支点として、開閉側の通過検出部分２２０Ｙを固定側の通過検出部分２２０Ｘに対して開閉可能な構造に構成した箇所である。
【００５０】
なお、通過検出部分２２０の通過検出器２２１は、例えば、識別検出部分２０１の終了検出器１１５Ｃと同様に、透過光用の発光ダイオードと受光用のホトトランジスタとの組み合わせによる検出構成によって、紙幣１００の先頭部分が通過検出部分２２０に入れ込まれたことを検出するように構成してある。
【００５１】
そして、通過検出器２２１の検出信号によって識別検出制御部分１１５Ｚが、上流側の副搬送部分Ｃの制御部分（図示せず）と合流搬送部分２の制御部分（図示せず）とに、次の紙幣１００を搬送してもよい旨の信号を与え、さらに、後続する第２の収納部分２３０が収納部分２１０と同様に構成してある場合には、第２の収納部分２３０の入込検出用の信号として、収納部分２３０の制御部分（図示せず）に与える。
【００５２】
また、図１〜図５の構成では、案内片１１３Ａ・１１３Ｂを入口付近の部分まで設け、残りの案内片の部分は、後続する収納部分２３０に付属させるように、分割して構成してある。
【００５３】
つまり、この第１実施例の構成は、概括的には、第１には、
入れ込まれた紙幣１００を所定の搬送路、例えば、収納搬送路Ｋに沿って搬送するとともに、上記の紙幣１００の種別を識別検出するための識別検出部分２０１と、上記の識別にもとづいて上記の紙幣１００を、例えば、押込機構１１６・第１の貯留機構１１７によって、上記の搬送路、例えば、収納搬送路Ｋを横断する方向に移動して収納する収納部分２１０と、上記の識別にもとづいて上記の紙幣１００の先頭部分が上記の収納部分２１０を通過したことを検出するための通過検出部分２２０とを設けた紙幣収納装置２００において、
【００５４】
上記の識別検出部分２０１を上記の搬送路、例えば、収納搬送路Ｋの箇所で上記の搬送路Ｋに沿って分割した一方の部分、例えば、開閉側の識別検出部分２０１Ｙを、他方の部分、例えば、固定側の識別検出部分２０１Ｘに対して開閉する識別検出部分開閉手段と、
【００５５】
上記の収納部分２１０を上記の搬送路、例えば、収納搬送路Ｋの箇所で上記の搬送路Ｋに沿って分割した一方の部分、例えば、開閉側の収納部分２１０Ｙを、他方の部分、例えば、固定側の収納部分２１０Ｘに対して開閉する収納部分開閉手段と、
【００５６】
上記の通過検出部分２２０を上記の搬送路、例えば、収納搬送路Ｋの箇所で上記の搬送路Ｋに沿って分割した一方の部分、例えば、開閉側の通過検出部分２２０Ｙを、他方の部分、例えば、固定側の通過検出部分２２０Ｘに対して開閉する通過検出部分開閉手段と
を設けた上記の第２の構成を構成しているものである。
【００５７】
第２には、上記の第２の構成において、
各上記の一方の部分の上流側の位置、例えば、開閉側の識別検出部分２０１Ｙの上流側に設けた支点部分２０１Ｐ、開閉側の収納部分２１０Ｙの上流側に設けた支点部分２１０Ｐ、開閉側の通過検出部分２２０Ｙの上流側に設けた支点部分２２０Ｐを支点として、各上記の一方の部分の下流側、例えば、開閉側の識別検出部分２０１Ｙの下流側、開閉側の収納部分２１０Ｙの下流側、開閉側の通過検出部分２２０Ｙの下流側を開閉するようにした上記の第３の構成を構成しているものである。
【００５８】
第３には、図９のような紙幣搬送装置３００に、この第１実施例による紙幣収納装置２００を設けた構成では、
紙幣搬送紙幣搬送装置３００において、上記の第２の構成〜第３の構成による紙幣収納装置２００を設ける上記の第４の構成を構成しているものである。
【００５９】
第４には、図９のようなパチンコ台島装置５００に、この第１実施例による紙幣収納装置２００を設けた構成では、
パチンコ台島装置５００において、上記の第２の構成〜第３の構成による紙幣収納装置２００を設ける上記の第５の構成を構成しているものである。
【００６０】
そして、具体的には、搬送機構部分は、図１・図２のように、図１０の対向ローラ１１１Ａ・１１１Ｂにおける駆動側のローラ１１１Ａの部分をプーリ１１１Ｘに変更して、搬送ベルト１１２をプーリ１１１Ｘとプーリ１１２Ｄとの間に掛け渡すように変更することにより、識別検出部分２０１・収納部分２１０・通過検出部分２２０における紙幣１００の搬送を、全て搬送ベルト１１２を主体にして搬送するように構成してある。
【００６１】
なお、紙幣１００を収納搬送路Ｋに沿うように案内するために、識別検出部分２０１では案内片２０１ａ〜２０１ｄが案内し、また、収納部分２１０では押込機構１１６の押込板１１６Ａと貯留機構１１７の案内片１１７Ａとが案内し、さらに、通過検出部分２２０では案内片２２０ａ・２２０ｂ・１１３Ａ・１１３Ｂが案内している。
【００６２】
また、図１０のプーリ１１２Ｅ・ローラ１１２Ａの部分を搬送ベルト１１２を挟んで搬送ベルト１１２に密着させた対向ローラ１１２Ｒ・１１２Ｓに変更するとともに、対向ローラ１１２Ｒ・１１２Ｓの軸に設けた歯車１１２ｒ・１１２ｓで連動させることにより、搬送ベルト１１２を「Ｓ字状」に屈曲させながら搬送して、収納部分２１０への紙幣１００の搬送を確実化している。
【００６３】
さらに、図１０のローラ１１２Ｃの部分を、搬送ベルト１１２の挟んで配置した対向ローラ１１２Ｔ・１１２Ｕと対向ローラ１１２Ｖ・１１２Ｗに変更して押込機構１１６付近における紙幣１００の搬送を安定化するとともに、ローラ１１２Ｂの部分にローラ１１２Ｘを追加して、プーリ１１２Ｄの外周に沿った収納搬送路Ｋにおける紙幣１００の搬送を確実化している。
【００６４】
これらの搬送機構の部分は、プーリ１１２Ｄの軸に設けた歯車１１２ｄを歯車伝動機構１１２ｅを介して、駆動モータ１１２Ｚによって駆動され、搬送ベルト１１２を介して、全体が連動する駆動構成にしてある。なお、この駆動構成は、上記の歯車伝動機構１１２ｅ・駆動モータ１１２Ｚを歯車１１２ｒの付近に配置して、歯車１１２ｒを歯車伝動機構１１２ｅ・駆動モータ１１２Ｚで駆動するように変更することもできる。
【００６５】
ローラ１１１Ｂ・１１２Ｂ・１１２Ｘは、比較的に強い押ばね１１１ｂ・１１２ｂ・１１２ｘで搬送ベルト１１２に押し付けることにより、紙幣１００の搬送を確実化している。
【００６６】
ローラ１１２Ｔ・１１２Ｖは、ごく弱い押ばね１１２ｔ・１１２ｖで搬送ベルト１１２に押し付けるとともに、対向側のローラ１１２Ｕ・１１２Ｗの外周面を通常は搬送ベルト１１２から、搬送ベルト１１２の厚さの２倍程度、例えば、２ｍｍ程度だけ離して配置しておくことより、紙幣１００が変形した紙幣のときに、搬送ベルト１１２が押込機構１１６側に押されても、ローラ１１２Ｕ・１１２Ｗで押えられるようにするとともに、ローラ１１２Ｔ・１１２Ｖが押ばね１１２ｔ・１１２ｖによって常に搬送ベルト１１２に接触するように構成してある。
【００６７】
ここで、押ばね１１２ｔ・１１２ｖをごく弱い押ばねにしているのは、後記の図６〜図８で説明するように、押込機構１１６で紙幣１００を押し込む際に、紙幣１００が搬送ベルト１１２とローラ１１２Ｔ・１１２Ｖとの間から抜け易くするためである。
【００６８】
図１・図２の構成部分は、図１０の外殻１１９に対して引き出し可能な構成にして設けた棚板状の取付座板２５０の上に、適宜の固定用部材（図示せず）によって固定してあり、図３〜図８では、取付座板２５０・第２の収納部分２３０の部分を省略してある。
【００６９】
固定側の識別検出部分２０１Ｘと、固定側の収納部分２１０Ｘと、固定側の通過検出部分２２０Ｘとは、図４のように、搬送ベルト１１２を主体とした搬送機構の部分と一緒にして、上側の軸受板を兼ねた水平方向の上側基板２６１と、下側の軸受板を兼ねた水平方向の下側基板２６２との間に、適宜の軸受用部材（図示せず）・取付固定用部材（図示せず）・プリント配線基板（図示せず）などを用いて取り付けてある。
【００７０】
また、上側基板２６１と下側基板２６２とは、上側基板２６１の下面と下側基板２６２の上面との間に、開閉側の識別検出部分２０１Ｙと、開閉側の収納部分２１０Ｙと、開閉側の通過検出部分２２０Ｙとの各上面側と各底面側とが挟み込まれるようにした間隔になるように、適宜の垂直方向の保持板（図示せず）または保持柱（図示せず）とによって、保持されている。
【００７１】
なお、上側基板２６１の開閉側に向いた縁部分２６１ａ・２６１ｂ・２６１ｃの部分は、収納搬送路Ｋになるべ近い位置にして収納搬送路Ｋの部分を点検し易くし、また、下側基板２６２の開閉側に向いた縁部分２６２ａ・２６２ｂ・２６２ｃの部分は、開閉側の識別検出部分２０１Ｙ・収納部分２１０Ｙ・通過検出部分２２０Ｙを受け止められるように、縁部分２６１ａ・２６１ｂ・２６１ｃよりも外側に張り出した位置にしてある。
【００７２】
そして、上側基板２６１・下側基板２６２の両方に設けた各支点部分２０１Ｐ・２１０Ｐ・２２０Ｐの位置には、各軸受座２０１ｐ・２０１ｑ・２１０ｐ・２１０ｑ・２２０ｐ・２２０ｑを嵌め込んで固定してある。
【００７３】
開閉側の識別検出部分２０１Ｙは、図４のように、上側の軸受板を兼ねた上側基板２０１ｒと、下側の軸受板を兼ねた下側基板２０１ｓとの間に、各検出器１１５Ａ・１１５Ｂ・１１５Ｃの片方の部分と、ローラ１１１Ｂの部分とを一緒に設けることにより、各検出器１１５Ａ・１１５Ｂ・１１５Ｃの保守作業を行い易くするとともに、ローラ１１１Ｂの箇所に挟まれて行き詰まった紙幣１００を取り出し易くしている。
【００７４】
上側基板２０１ｒ・下側基板２０１ｓとの間は、所要の間隔になるように、適宜の垂直方向の保持板（図示せず）または保持柱（図示せず）とによって、保持されており、各検出器１１５Ａ・１１５Ｂ・１１５Ｃは適宜のプリント配線基板（図示せず）を用いて取り付けてある。また、上側基板２０１ｒ・下側基板２０１ｓの支点部分２０１Ｐの位置には、各軸受座２０１ｍ・２０１ｎを嵌め込んで固定してある。
【００７５】
開閉側の収納部分２１０Ｙは、図４のように、上側の軸受板を兼ねた上側基板２１０ｒと、下側の軸受板を兼ねた下側基板２１０ｓとの間に、第１の貯留機構１１７の部分を設けることにより、押出機構１１６と第１の貯留機構１１７との間に行き詰まった紙幣１００を取り出し易くするとともに、押出機構１１６の部分の保守作業を行い易くしている。そして、上側基板２１０ｒ・下側基板２１０ｓの両方に設けた支点部分２１０Ｐの位置には、各軸受座２１０ｍ・２１０ｎを嵌め込んで固定してある。
【００７６】
開閉側の通過検出部分２２０Ｙは、図４のように、上側の軸受板を兼ねた上側基板２２０ｒと、下側の軸受板を兼ねた下側基板２２０ｓとの間に、通過出部分２２０の片方の部分と、ローラ１１２Ｂ・１１２Ｘの部分とを一緒に設けることにより、通過出部分２２０の保守作業を行い易くするとともに、ローラ１１２Ｂとローラ１１２Ｘとの箇所に挟まれて行き詰まった紙幣１００を取り出し易くしている。そして、上側基板２２０ｒ・下側基板２２０ｓの両方に設けた支点部分２２０Ｐの位置には、各軸受座２２２０ｍ・２２０ｎを嵌め込んで固定してある。
【００７７】
上側基板２２０ｒ・下側基板２２０ｓとの間は、所要の間隔になるように、適宜の垂直方向の保持板（図示せず）または保持柱（図示せず）とによって、保持されており、通過出器２２１は適宜のプリント配線基板（図示せず）を用いて取り付けてある。
【００７８】
図４のような分解状態での固定側の識別検出部分２０１Ｘ・収納部分２１０Ｘ・通過検出部分２２０Ｘの各支点部分２０１Ｐ・２１０Ｐ・２２０Ｐと、開閉側の識別検出部分２０１Ｙ・収納部分２１０Ｙ・通過検出部分２２０Ｙの各支点部分２０１Ｐ・２１０Ｐ・２２０Ｐとを重ね合わせて、図３の状態にしておき、軸受座２０１ｍ・２０１ｎ・２０１ｐ・２０１ｑの重ね合わせ箇所と、軸受座２１０ｍ・２１０ｎ・２１０ｐ・２１０ｑの重ね合わせ箇所と、軸受座２２０ｍ・２２０ｎ・２２０ｐ・２２０ｑの重ね合わせ箇所とを、それぞれ、ねじまたは貫通軸２０１ｋ・２１０ｋ・２２０ｋによって接続すると、図３の状態に組み付けることができる。
【００７９】
そして、図５のように、開閉側の識別検出部分２０１Ｙを固定側の識別検出部分２０１Ｘに閉じ合わせると、開閉側の識別検出部分２０１Ｙの上面側よりも上方に突き出して設けた引っ張りばね２０１ｆ付きの掛け鈎部分２０１ｇが、固定側の識別検出部分２０１Ｘの位置に対応する上側基板２６１の上面に設けた掛け止めピン２０１ｈに引っ掛かって、閉じ合わせた状態に保持される。
【００８０】
なお、開き状態にするには、掛け鈎部分２０１ｇのつまみ２０１ｊを、指先で、引っ張りばね２０１ｆに抗して引くと掛け鈎部分２０１ｇが掛け止めピン２０１ｈから外れて、図３のように、開閉側の識別検出部分２０１Ｙを開くことができる。
【００８１】
開閉側の通過検出部分２２０Ｙと固定側の通過検出部分２２０Ｘとの部分も、上記と同様にして、図５のように、閉じ合わせると、引っ張りばね２２０ｆ付きの掛け鈎部分２２０ｇが、固定側の通過検出部分２２０Ｘの位置に対応する上側基板２６１の上面に設けた掛けピン２２０ｈに引っ掛かって、閉じ合わせた状態に保持される。開き状態にするときは、上記と同様にして、つまみ２２０ｊを操作して、図３のように、開閉側の通過検出部分２２０Ｙを開くことができる。
【００８２】
開閉側の収納部分２１０Ｙの底面側には、図３の〔ロ−ロ断面〕のように、下方に突き出した掛け止め用の突起２１０ｈを設けてあり、また、固定側の収納部分２１０Ｘの位置に対応する下側基板２６２の下面には、図３の〔ハ−ハ断面〕のように、板ばね２１０ｆ付きの掛け爪部分２１０ｇを設けてある。
【００８３】
そして、開閉側の収納部分２１０Ｙを、図５のように、固定側の収納部分２１０Ｘに閉じ合わせると、突起２１０ｈが掛け爪部分２１０ｇを板ばね２１０ｆに抗して圧し下げ、図５の〔ニ−ニ断面〕のように、突起２１０ｈが掛け爪部分２１０ｇに引っ掛かって、閉じ合わせた状態に保持される。
【００８４】
開き状態にするときは、下側基板２１０ｓに設けた切欠部分２０１ｔの箇所に露出されている掛け爪部分２１０ｇのつまみ箇所２１０ｊを指先で押し下げると、突起２１０ｈが掛け爪部分２１０ｇから外れて、図３のように、開閉側の収納部分２１０Ｙを開くことができる。
【００８５】
なお、板ばね２１０ｆは、図５の〔ホ−ホ断面〕のように、つまみ箇所２１０ｊと反対側の端部分を適宜の固定具２１０ｚ、例えば、リベットまたはねじで下側基板２６２に固定してあり、中間部分に設けた穴２１０ｘを、下側基板２６２から張り出した案内ピン２１０ｙで案内することにより、掛け爪部分２１０ｇの位置が動かないように構成してある。
【００８６】
固定側の収納部分２１０Ｘに設けられた押込機構１１６は、図６〜図８のように、交差型レバー１１６Ｃの一方のレバー１１６ａの支点１１６ｂが、上側基板２６１と下側基板２６２との間に設けた垂直方向の保持板２６３から水平方向に張り出した張出部分１１６ｃに設けた軸１１６ｄで支持されており、レバー１１６ａの摺動点１１６ｅが、押込片１１６Ａから水平方向に張り出した張出部分１１６ｆの長穴１１６ｇで案内される移動軸１１６ｈで支持されている。
【００８７】
また、他方のレバー１１６ｊの一方の支点１１６ｋが、押込片１１６Ａから張り出した張出部分１１６ｍに設けた軸１１６ｎで支持されており、レバー１１６ｊの摺動点１１６ｐが、保持板２６３から水平方向に張り出した張出部分１１６ｑの長穴１１６ｒで案内される移動軸１１６ｓで支持されている。
【００８８】
レバー１１６ａとレバー１１６ｊとの各中間程度の箇所に位置付けた交差点に、レバー１１６ａとレバー１１６ｊとを連結する連結軸１１６ｔを設けるとともに、連結軸１１６ｔから移動軸１１６ｓ側に寄った箇所に内向き凹曲線の案内面をもつ板カム部分１１６ｕを設けてある。なお、板カム部分１１６Ｕは水平方向の幅が小さくなっているので、この部分に垂直方向に張り出した補強部分１１６ｕ１を設けてある。
【００８９】
交差レバー１１６Ｃを駆動する電動アクチェータ１１６Ｂ、例えば、パルスモータは、取付ねじ１１６ｖで保持板２６３に固定してあり、電動アクチェータ１１６Ｂの回転軸１１６ｘに固定した扇形状の回転板１１６ｙの偏心点にカム用ローラ１１６ｚを設けてあり、カム用ローラ１１６ｚを板カム部分１１６ｕの内向き曲線の案内面に沿って移動させることにより、軸１１６ｄと張出部分１１６ｃとの間に設けたつる巻き状の戻しばね１１６ｃ１に抗して、交差型レバー１１６Ｃの交差角度を変化させて、押込片１１６Ａを、図６と図８の〔待機状態〕の位置から、図７と図８の〔押込動作状態〕の位置まで移動させている。
【００９０】
図７と図８の〔押込動作状態〕から、カム用ローラ１１６ｚが、さらに移動すると、押込片１１６Ａがばね１１６ｃ１に引き戻されて、図６と図８の〔待機状態〕の位置に戻るという引き戻し動作を行う。
【００９１】
そして、図６と図８の〔待機状態〕では、押込片１１６Ａが搬送ベルト１１２の内側に位置付けられており、また、位置決め機構２１５の位置決め片２１５Ａも搬送ベルト１１２の内側になる位置に位置付けられている。
【００９２】
位置決め機構２１５は、図６・図７のように、位置決め片２１５Ａに設けた支点部分２１５Ｃを支点として位置決め片２１５Ａと反対側に張り出した長穴２１５ａに案内される移動ピン２１５ｃを、電動アクチェータ２１５Ｂ、例えば、電動プランジャのプランジャ２１５ｂによって、収納搬送路Ｋに沿った方向に移動させることにより、図６のように、位置決め片２１５Ａが搬送ベルト１１２の内側の位置になる姿勢と、図７のように、位置決め片２１５Ａが収納搬送路Ｋを横断する状態になる姿勢とに変化できるように構成してある。
【００９３】
開閉側の収納部分２１０Ｙに設けた貯留機構１１７は、図６〜図８のように、上側基板２１０ｒの収納搬送路Ｋ側から張り出した張出部分２１１Ａに上側の案内片１１７Ａを、適宜の固定具（図示せず）、例えば、取付ねじで固定するとともに、上側のローラ１１２Ｔ・１１２Ｖ・押ばね１１２ｔ・１１２ｖの主体部分を案内片１１７Ａの中に設けて、上側のローラ１１２Ｔ・１１２Ｖが上側の案内片１１７Ａから出入するように構成してある。
【００９４】
また、下側基板２１０ｓの収納搬送路Ｋ側から張り出した張出部分２１１Ｃに下側の案内片１１７Ａを、適宜の固定具（図示せず）、例えば、取付ねじで固定するとともに、下側のローラ１１２Ｔ・１１２Ｖ・押ばね１１２ｔ・１１２ｖの主体部分を下側の案内片１１７Ａの中に設けて、下側のローラ１１２Ｔ・１１２Ｖが下側の案内片１１７Ａから出入するように構成してある。
【００９５】
また、押板１１７Ｂの上側部分と下側部分とに設けた案内軸２１２Ａ・２１２Ｂは、上側基板２１０ｒ・下側基板２１０ｓに収納搬送路Ｋと直交方向に設けられている長穴で形成した案内穴２１２Ｃ・２１２Ｄによって案内されるとともに、押板１１７Ｂの外側と、上側基板２１０ｒ・下側基板２１０ｓの間に垂直方向に設けた保持板２１３の内側との間に、ばね１１７Ｃを配置してある。
【００９６】
なお、ばね１１７Ｃは、押板１１７Ｂ・保持板２１３に設けた押え爪２１２ａ・２１２ｂによって保持している。また、押込片１１６Ａの高さＨ２（図示せず）を上側の案内片１１７Ａと下側の案内片１１７Ａとの間の高さＨ１（図示せず）よりも小さく、例えば、Ｈ２をＨ１の８０％程度にすることによって、紙幣１００が上下の案内片１１７Ａの間を余裕をもって通れるようにしてある。
【００９７】
そして、入れ込まれた紙幣１００が、識別検出部分２０１・識別検出制御部分１１５Ｚによって、第１の収納部分２１０に収納する種別の紙幣であることを識別すると、識別検出制御部分１１５Ｚが、まず、位置決め機構２１５を動作させて位置決め片２１５Ａを、図７のように、収納搬送路Ｋを横断する位置に位置付ける。
【００９８】
ここで、ローラ１１２Ｔ・１１２Ｖは、図１・図２で説明したように、ごく弱い押ばね１１２ｔ・１１２ｖで搬送ベルト１１２に押し付けられており、また、ローラ１１２Ｕ・１１２Ｗの外周面は搬送ベルト１１２の定常の位置から、２ｍｍ程度だけ内側にずらせた位置に位置付けられているので、この部分に搬送されてきた紙幣１００は、押ばね１１２ｔ・１１２ｖのごく弱い弾力と搬送ベルト１１２の張力とで搬送されてくるため、図８の〔待機状態〕での紙幣１００の先頭部分が、図７の状態の位置決め片２１５Ａによって制止されても、紙幣１００が破損せずに、滑り続けるため、紙幣１００が押込機構１１６の位置に置いた状態を維持することができる。
【００９９】
次いで、識別検出制御部分１１５Ｚが押込機構１１６を動作させて、押込板１１６Ａが紙幣１００を貯留機構１１７側に押し込むと、紙幣１００の上下の部分が、上下の案内片１１７Ａ・ローラ１１２Ｔ・１１２Ｖと上下の搬送ベルト１１２との間から抜け出して、上下の案内片１１７Ａを越えて、図７と図８の〔押込動作状態〕のように、上下の案内片１１７Ａと押板１１７との間に移動する。なお、以前に押し込まれた紙幣１００があるときは、その紙幣と上下の案内片１１７Ａと移動することになる。
【０１００】
そして、押込機構１１６の動作が終了すると、押込板１１６Ａが図６と図８の〔待機状態〕の位置に戻るとともに、識別検出制御部分１１５Ｚが位置決め機構２１５を動作させて、位置決め片２１５Ａを図６と図８の〔待機状態〕の位置に戻して、第１の収納部分２１０での収納動作が終了する。
【０１０１】
また、入れ込まれた紙幣１００が、識別検出部分２０１・識別検出制御部分１１５Ｚによって、後続の収納部分２３０に収納する種別の紙幣であることを識別すると、識別検出制御部分１１５Ｚは、位置決め機構２１５・押込機構１１６のいずれも動作させないので、後続の収納部分２３０の制御部分（図示せず）に紙幣１００を入れ込む旨の信号を与えるだけの動作をする。
【０１０２】
このため、紙幣１００は、上下の案内片１１７Ａ・ローラ１１２Ｔ・１１２Ｖと上下の搬送ベルト１１２とによって、第１の収納部分２１０を通過し、さらに、搬送ベルト１１２・ローラ１１２Ｂ・１１２Ｘによって、通過検出部分２２０の箇所を通過ので、通過検出部分２２０からの信号が、後続の収納部分２３０の制御部分（図示せず）に与えられることになる。
【０１０３】
以上のように、この第１実施例の構成によれば、開閉側の識別検出部分２０１Ｙ・第１の収納部分２１０Ｙ・通過検出部分２２０Ｙが、それぞれ、固定側の識別検出部分２０１Ｘ・第１の収納部分２１０Ｘ・通過検出部分２２０Ｘに対して、収納搬送路Ｋの部分で開閉できるので、識別検出部分２０１・第１の収納部分２１０・通過検出部分２２０の各部を分解することなく、これらの部分ににおける紙幣１００の行き詰まりの除去や保守作業を容易に行えるという効果が得られる。
【０１０４】
〔第２実施例〕
以下、図１〜図８により第２実施例を説明する。この第２実施例は上記の第４実施例の構成にこの発明を適用して構成したものであり、上記の第１実施例の構成と異なる箇所は次の箇所である。
【０１０５】
第１には、ローラ１１２Ｂ・１１２Ｘと、通過検出部分２２０と、後続の収納部分２３０との部分を除去して収納部分を１つだけ設けた構成に変更した箇所である。
【０１０６】
第２には、識別検出部分２０１・識別検出制御部分１１５Ｚで識別検出した紙幣１００の種別と枚数とを、例えば、紙幣収納装置２００の上方部分に設けた表示部分に表示するように変更して構成した箇所である。
【０１０７】
つまり、この第２実施例の構成は、第１には、
入れ込まれた紙幣１００を所定の搬送路、例えば、収納搬送路Ｋに沿って搬送するとともに、上記の紙幣１００の種別を識別検出するための識別検出部分２０１と、上記の識別にもとづいて上記の紙幣１００を、例えば、押込機構１１６・貯留機構１１７によって、上記の搬送路、例えば、収納搬送路Ｋを横断する方向に移動して収納する収納部分２１０とを設けた紙幣収納装置２００において、
【０１０８】
上記の識別検出部分２０１を上記の搬送路、例えば、収納搬送路Ｋの箇所で上記の搬送路Ｋに沿って分割した一方の部分、例えば、開閉側の識別検出部分２０１Ｙを、他方の部分、例えば、固定側の識別検出部分２０１Ｘに対して開閉する識別検出部分開閉手段と、
【０１０９】
上記の収納部分２１０を上記の搬送路、例えば、収納搬送路Ｋの箇所で上記の搬送路Ｋに沿って分割した一方の部分、例えば、開閉側の収納部分２１０Ｙを、他方の部分、例えば、固定側の収納部分２１０Ｘに対して開閉する収納部分開閉手段と
を設けた上記の第１の構成を構成しているものである。
【０１１０】
第２には、上記の第１の構成において、
各上記の一方の部分の上流側の位置、例えば、開閉側の識別検出部分２０１Ｙの上流側に設けた支点部分２０１Ｐ、開閉側の収納部分２１０Ｙの上流側に設けた支点部分２１０Ｐを支点として、各上記の一方の部分の下流側、例えば、開閉側の識別検出部分２０１Ｙの下流側、開閉側の収納部分２１０Ｙの下流側を開閉するようにした上記の第３の構成を構成していることになるものである。
【０１１１】
第３には、図９のような紙幣搬送装置３００に、この第２実施例による紙幣収納装置２００を設けた構成では、
紙幣搬送紙幣搬送装置３００において、上記の第１の構成・第３の構成による紙幣収納装置２００を設ける上記の第４の構成を構成していることになるものである。
【０１１２】
第４には、図９のようなパチンコ台島装置５００に、この第２実施例による紙幣収納装置２００を設けた構成では、
パチンコ台島装置５００において、上記の第１の構成・第３の構成による紙幣収納装置２００を設ける上記の第５の構成を構成していることになるものである。
【０１１３】
したがって、この第２実施例の構成によれば、開閉側の識別検出部分２０１Ｙ・収納部分２１０Ｙが、それぞれ、固定側の識別検出部分２０１Ｘ・収納部分２１０Ｘに対して、収納搬送路Ｋの部分で開閉できるので、識別検出部分２０１・収納部分２１０の各部を分解することなく、これらの部分ににおける紙幣１００の行き詰まりの除去や保守作業を容易に行えるという効果が得られることになるものである。
【０１１４】
〔変形実施〕
この発明は次のように変形して実施することを含むものである。
（１）各固定側の部分に対する開閉側の開閉を、各下流側を支点として、各上流側を開閉するように変更して構成する。
（２）各固定側の部分に対する開閉側の開閉を、各底面側を支点として、各上面側を開閉するように変更して構成する。
【０１１５】
（３）第１実施例・上記（１）（２）の構成において、開閉側の識別検出部分２０１Ｙには、各識別検出器１１５Ａ・１１５Ｂ・１１５Ｃの片方のみを設けて、ローラ１１１Ｂを固定側に残しておくように変更して構成する。
（４）第１実施例・上記（１）〜（３）の構成において、開閉側の通過検出部分２２０Ｙには、通過検出部分２２０の片方のみを設けて、ローラ１１２Ｂ・１１２Ｘを固定側に残しておくように変更して構成する。
【０１１６】
（５）第１実施例・上記（１）〜（４）の構成を第３従来技術・第４従来技術〜第７従来技術の構成に適用して構成する。
（６）第２実施例・上記（１）〜（４）の構成を第３従来技術・第４従来技術〜第７従来技術の構成に適用して構成する。
【０１１７】
【発明の効果】
この発明によれば、１つの収納部分のみを設けた紙幣収納装置の構成では、開閉側の識別検出部分・収納部分が、それぞれ、固定側の識別検出部分・収納部分に対して、収納搬送路の部分で開閉でき、また、複数の収納部分を設けた紙幣収納装置の構成では、開閉側の識別検出部分・第１の収納部分・通過検出部分が、それぞれ、固定側の識別検出部分・第１の収納部分・通過検出部分に対して、収納搬送路の部分で開閉できるので、これらの部分における紙幣の行き詰まりの除去や保守作業を容易に行える。
【０１１８】
また、この発明による紙幣収納装置を設けた紙幣搬送装置やパチンコ台島装置の構成では、上記と同様に、紙幣の行き詰まりの除去や保守作業を容易に行えるので、装置の稼働効率を向上し得るなどの効果が得られる特長がある。
【図面の簡単な説明】
図面中、図１〜図８はこの発明の実施例を、また、図９〜図１１は従来技術を示し、各図の内容は次のとりである。
【図１】要部構成内部平面図
【図２】要部構成内部平面図
【図３】要部構成開状態平面図
【図４】要部構成分解状態平面図
【図５】要部構成閉状態平面図
【図６】要部構成待機状態内部平面図
【図７】要部構成押込動作状態平面図
【図８】要部構成縦断側面図
【図９】全体構成縦断側面・横断平面図
【図１０】要部構成内部横断平面図
【図１１】要部構成斜視図
【符号の説明】
２  合流搬送部分
４  主搬送部分
５０  外箱
５１  外壁
１００  紙幣
１１０ａ  入込口
１１０ｂ  開口部分
１１０ｃ  開閉蓋
１１０ｄ  取付ねじ
１１０ｙ  鍵
１１１Ａ・１１１Ｂ  対向ローラ
１１１Ｘ  プーリ
１１１ｂ  押ばね
１１２  搬送ベルト
１１２Ａ・１１２Ｂ・１１２Ｃ  ローラ
１１２Ｄ・１１２Ｅ  プーリ
１１２Ｒ・１１２Ｓ  対向ローラ
１１２Ｔ・１１２Ｕ  対向ローラ
１１２Ｖ・１１２Ｗ  対向ローラ
１１２Ｘ  ローラ
１１２Ｚ  駆動モータ
１１２ｂ  押ばね
１１２ｄ  歯車
１１２ｅ  歯車伝動機構
１１２ｒ・１１２ｓ  歯車
１１２ｔ・１１２ｖ  押ばね
１１２ｘ  押ばね
１１３Ａ・１１３Ｂ  案内片
１１３Ｃ  末端箇所
１１３Ｄ  案内管
１１３Ｅ・１１３Ｆ  対向ローラ
１１３Ｇ・１１３Ｈ  対向ローラ
１１４Ａ・１１４Ｂ  対向ローラ
１１５  識別検出器
１１５Ａ  入込検出器
１１５Ｂ  模様検出器
１１５Ｃ  終了検出器
１１５Ｚ  識別検出制御部分
１１６  押込機構
１１６Ａ  押込片
１１６Ｂ  電動アクチェータ
１１６Ｃ  交差型レバー
１１６ａ  レバー
１１６ｂ  支点
１１６ｃ  張出部分
１１６ｃ１  戻しばね
１１６ｄ  軸
１１６ｅ  摺動点
１１６ｆ  張出部分
１１６ｇ  長穴
１１６ｈ  移動軸
１１６ｊ  レバー
１１６ｋ  支点
１１６ｍ  張出部分
１１６ｎ  軸
１１６ｐ  摺動点
１１６ｑ  張出部分
１１６ｒ  長穴
１１６ｓ  移動軸
１１６ｔ  連結軸
１１６ｕ  板カム部分
１１６ｕ１  補強部分
１１６ｖ  取付ねじ
１１６ｘ  回転軸
１１６ｙ  回転板
１１６ｚ  カム用ローラ
１１７  第１の貯留機構
１１７Ａ  案内片
１１７Ｂ  押板
１１７Ｃ  ばね
１１８  第２の貯留機構
１１９  外殻
１１９Ａ  張出部分
１２０  覆箱
１２０ａ  開閉蓋
１２０ｙ  鍵
２００  紙幣収納装置
２０１  識別検出部分
２０１Ｘ  固定側の識別検出部分
２０１Ｙ  開閉側の識別検出部分
２０１Ｐ  支点部分
２０１ａ〜２０１ｄ  案内片
２０１ｆ  引っ張りばね
２０１ｇ  掛け鈎部分
２０１ｈ  掛け止めピン
２０１ｊ  つまみ
２０１ｋ  ねじまたは貫通軸
２０１ｍ・２０１ｎ  軸受座
２０１ｐ・２０１ｑ  軸受座
２０１ｒ  上側基板
２０１ｓ  下側基板
２１０  第１の収納部分
２１０Ｘ  固定側の収納部分
２１０Ｙ  開閉側の収納部分
２１０Ｐ  支点部分
２１０ｆ  板ばね
２１０ｇ  掛け爪部分
２１０ｈ  突起
２１０ｊ  つまみ箇所
２１０ｋ  ねじまたは貫通軸
２１０ｍ・２１０ｎ  軸受座
２１０ｐ・２１０ｑ  軸受座
２１０ｒ  上側基板
２１０ｓ  下側基板
２１０ｔ  切欠部分
２１０ｘ  穴
２１０ｙ  案内ピン
２１０ｚ  固定具
２１１Ａ・２１１Ｃ  張出部分
２１２Ａ・２１２Ｂ  案内軸
２１２Ｃ・２１２Ｄ  案内穴
２１２ａ・２１２ｂ  押え爪
２１３  保持板
２１５  位置決め機構
２１５Ａ  位置決め片
２１５Ｂ  電動アクチェータ
２１５Ｃ  支点部分
２１５ａ  長穴
２１５ｂ  プランジャ
２１５ｃ  移動ピン
２２０  通過検出部分
２２０Ｘ  固定側の通過検出部分
２２０Ｙ  開閉側の通過検出部分
２２０Ｐ  支点部分
２２０ａ・２２０ｂ  案内片
２２０ｆ  引っ張りばね
２２０ｇ  掛け鈎部分
２２０ｈ  掛け止めピン
２２０ｊ  つまみ
２２０ｋ  ねじまたは貫通軸
２２０ｍ・２２０ｎ  軸受座
２２０ｐ・２２０ｑ  軸受座
２２０ｒ  上側基板
２２０ｓ  下側基板
２２１  通過検出器
２３０  後続の収納部分
２５０  取付座板
２６１  上側基板
２６１ａ〜２６１ｃ  縁部分
２６２  下側基板
２６２ａ〜２６２ｃ  縁部分
２６３  保持板
３００  紙幣搬送装置
５００  パチンコ台島装置
Ｂ  パチンコ台
Ｃ  副搬送部分
Ｅ  終端搬送部分
Ｋ  収納搬送路
Ｍ  主搬送路
Ｍ１  送出口
Ｓ  副搬送路
【図１】
0004959882.tif 000002
【図２】
0004959882.tif 000003
【図３】
0004959882.tif 000004
【図４】
0004959882.tif 000005
【図５】
0004959882.tif 000006
【図６】
0004959882.tif 000007
【図７】
0004959882.tif 000008
【図８】
0004959882.tif 000009
【図９】
0004959882.tif 000010
【図１０】
0004959882.tif 000011
【図１１】
0004959882.tif 000012